(57)【要約】【課題】連結部材に保持されたハンガーに掛けられた衣類が継手同士を連結する連結部材に当たることがないとともに、バランスが良く、かつ、コンパクトな物干し具を提供する。【解決手段】第１支柱と第２支柱とが略Ｘ字状に交差して開閉可能に軸支された脚体同士を、連結部材によって連結して対向配置させるとともに、脚体が展開された状態において、少なくとも、互いに対向する第１支柱を連結する連結部材にはハンガーが取り付けられ、ハンガー本体の中心は連結部材よりも外方に位置する。互いに対向する第１支柱を連結する連結部材は、第１支柱と前記第２支柱との交差部よりも上方において第１支柱同士を連結する連結部材である。【選択図】図１
0003128173.tif 000002
【実用新案登録請求の範囲】
【請求項１】
第１支柱と第２支柱とが略Ｘ字状に交差して開閉可能に軸支された脚体同士を、連結部材によって連結して対向配置させるとともに、
前記脚体が展開された状態において、少なくとも、互いに対向する第１支柱を連結する連結部材にはハンガーが取り付けられ、ハンガー本体の中心は前記連結部材よりも外方に位置すること
を特徴とする物干し具。
【請求項２】
前記互いに対向する第１支柱を連結する連結部材は、前記第１支柱と前記第２支柱との交差部よりも上方において前記第１支柱同士を連結する連結部材であることを特徴とする請求項１に記載の物干し具。
【請求項３】
前記第１支柱と前記第２支柱との交差部から前記第１支柱の上端までの長さは、前記交差部から前記第２支柱の上端までの長さより短いことを特徴とする請求項１又は請求項２に記載の物干し具。
【請求項４】
少なくとも、前記互いに対向する第１支柱を連結する連結部材には、該連結部材に対して、摺動による移動、及び／又は、前記摺動による移動の規制、が可能な状態で前記ハンガーが取り付けられる構成としたことを特徴とする請求項１乃至請求項３のうち、いずれか１に記載の物干し具。
【請求項５】
前記互いに対向する第１支柱を連結する連結部材には、ハンガー取付部材を介して前記ハンガーが取り付けられることを特徴とする請求項１乃至請求項４のうち、いずれか１に記載の物干し具。
【請求項６】
前記ハンガー取付部材は、前記連結部材に対して挟圧することによって、ハンガーの摺動による移動を規制することを特徴とする請求項５に記載の物干し具。
【請求項７】
第１支柱と第２支柱とが略Ｘ字状に交差して開閉可能に軸支された脚体同士を、連結部材によって連結して対向配置させるとともに、
前記脚体が展開された状態において、少なくとも、前記第１支柱と前記第２支柱との交差部よりも上方で互いに対向する第１支柱を連結する連結部材には、ハンガーが取り付けられ、
ハンガー本体の交差部側端部は、前記交差部よりも、前記互いに対向する第１支柱を連結する連結部材側に位置すること
を特徴とする物干し具。
【請求項８】
第１支柱と第２支柱とが略Ｘ字状に交差して開閉可能に軸支された脚体同士を、連結部材によって連結して対向配置させるとともに、
少なくとも、前記第１支柱の上方端部は、前記第２支柱側へ曲成され、
互いに対向する第１支柱の上方端部を連結する連結部材には、ハンガーの取り付けが可能な構成としたこと
を特徴とする物干し具。
【請求項９】
前記脚体が展開された状態において、前記第１支柱の前記上方端部は、鉛直方向に伸びる構成としたことを特徴とする請求項８に記載の物干し具。
【請求項１０】
前記第１支柱と前記第２支柱との交差部から前記第１支柱の上端までの長さは、前記交差部から前記第２支柱の上端までの長さより短いことを特徴とする請求項８又は請求項９に記載の物干し具。
【請求項１１】
前記第１支柱と前記第２支柱との交差部から前記第１支柱の前記上方端部の曲成部までの長さは、前記交差部から前記第２支柱の上端までの長さより短いことを特徴とする請求項８乃至請求項１０のうち、いずれか１に記載の物干し具。
【請求項１２】
前記互いに対向する第１支柱の上方端部を連結する連結部材には、ハンガー取付部材を介して前記ハンガーが取り付けられることを特徴とする請求項８乃至請求項１１のうち、いずれか１に記載の物干し具。
【請求項１３】
前記ハンガー取付部材は、前記連結部材に対して、摺動による移動、及び／又は、前記摺動による移動の規制、が可能な構成としたことを特徴とする請求項１２に記載の物干し具。
【請求項１４】
前記ハンガー取付部材は、前記連結部材に対して挟圧することによって、ハンガーの摺動による移動を規制することを特徴とする請求項１２又は請求項１３に記載の物干し具。
【請求項１５】
前記脚体が展開された状態において、前記ハンガーは、ハンガー本体の中心を前記連結部材よりも外方に位置させて取り付けられることを特徴とする請求項８乃至請求項１４のうち、いずれか１に記載の物干し具。
【請求項１６】
前記脚体が展開された状態において、前記第１支柱と前記第２支柱との交差部よりも上方で互いに対向する第１支柱を連結する連結部材に、前記ハンガーが、ハンガー本体の交差部側端部を、前記交差部よりも、前記互いに対向する第１支柱を連結する連結部材側に位置させて取り付けられることを特徴とする請求項８乃至請求項１５のうち、いずれか１に記載の物干し具。
【考案の詳細な説明】
【技術分野】
【０００１】
本考案は、物干し具に関し、とくに、略Ｘ字状に交差して開閉可能とされた脚体同士を対向配置させてなる物干し具に関する。
【背景技術】
【０００２】
略Ｘ字状に交差して開閉可能とされた脚体同士を対向配置させてなる物干し具としては、例えば特開平１０−５７６９２号公報（特許文献１）の図１に示すものがあった。
【０００３】
この物干し具においては、２本の脚杆を回動継手により略Ｘ字状に交差させた脚体の各脚杆の上端部間に物干し用横桟が架設され、この横桟に多数のフックが吊り下げられると共に水平方向に回動自在とされ、これらのフックごとにハンガーを掛けることができる。
【０００４】
【特許文献１】特開平１０−５７６９２号公報
【考案の開示】
【考案が解決しようとする課題】
【０００５】
しかしながら、上述の従来の物干し具では、物干し用横桟に吊り下げられたフックにハンガーを掛ける構成により、物干し用横桟の下方にハンガーの中心が配置されるため、このハンガーにかけられた衣服等が、対向配置された回動継手（交差部）同士を連結する横桟に当たってしまうという問題があった。
【０００６】
これに対して、ハンガーにかけられた衣服等が横桟に当たらない程度にまで脚杆を長く上方へ延ばすことも考えられるが、脚杆のうち横桟より上側部分のみを延ばせば横桟を中心とした上下のバランスが悪いため倒れやすくなり、バランスをとるために脚杆全体を長くすると、物干し具が大型化してしまう、という問題が生じる。
【０００７】
そこで本考案は、物干し用横桟（連結部材）に保持されたハンガーに掛けられた衣類が交差部同士を連結する横桟に当たることがないとともに、バランスが良く、かつ、コンパクトな物干し具を提供することを目的とする。
【課題を解決するための手段】
【０００８】
上記課題を解決するために、本考案の物干し具においては、第１支柱と第２支柱とが略Ｘ字状に交差して開閉可能に軸支された脚体同士を、連結部材によって連結して対向配置させるとともに、前記脚体が展開された状態において、少なくとも、互いに対向する第１支柱を連結する連結部材にはハンガーが取り付けられ、ハンガー本体の中心は前記連結部材よりも外方に位置することを特徴とする。
【０００９】
本考案の物干し具において、前記互いに対向する第１支柱を連結する連結部材は、前記第１支柱と前記第２支柱との交差部よりも上方において前記第１支柱同士を連結する連結部材であることを特徴とする。
【００１０】
本考案の物干し具において、前記第１支柱と前記第２支柱との交差部から前記第１支柱の上端までの長さは、前記交差部から前記第２支柱の上端までの長さより短いことを特徴とする。
【００１１】
本考案の物干し具において、少なくとも、前記互いに対向する第１支柱を連結する連結部材には、該連結部材に対して、摺動による移動、及び／又は、前記摺動による移動の規制、が可能な状態で前記ハンガーが取り付けられる構成としたことを特徴とする。
【００１２】
本考案の物干し具において、前記互いに対向する第１支柱を連結する連結部材には、ハンガー取付部材を介して前記ハンガーが取り付けられることを特徴とする。
【００１３】
本考案の物干し具において、前記ハンガー取付部材は、前記連結部材に対して挟圧することによって、ハンガーの摺動による移動を規制することを特徴とする。
【００１４】
また、本考案の物干し具においては、第１支柱と第２支柱とが略Ｘ字状に交差して開閉可能に軸支された脚体同士を、連結部材によって連結して対向配置させるとともに、前記脚体が展開された状態において、少なくとも、前記第１支柱と前記第２支柱との交差部よりも上方で互いに対向する第１支柱を連結する連結部材には、ハンガーが取り付けられ、ハンガー本体の交差部側端部は、前記交差部よりも、前記互いに対向する第１支柱を連結する連結部材側に位置することを特徴としている。
【００１５】
本考案の物干し具は、第１支柱と第２支柱とが略Ｘ字状に交差して開閉可能に軸支された脚体同士を、連結部材によって連結して対向配置させるとともに、少なくとも、前記第１支柱の上方端部は、前記第２支柱側へ曲成され、互いに対向する第１支柱の上方端部を連結する連結部材には、ハンガーの取り付けが可能な構成としたことを特徴としている。
【００１６】
本考案の物干し具において、前記脚体が展開された状態において、前記第１支柱の前記上方端部は、鉛直方向に伸びる構成としたことを特徴とする。
【００１７】
本考案の物干し具において、前記第１支柱と前記第２支柱との交差部から前記第１支柱の上端までの長さは、前記交差部から前記第２支柱の上端までの長さより短いことを特徴とする。
【００１８】
本考案の物干し具において、前記第１支柱と前記第２支柱との交差部から前記第１支柱の前記上方端部の曲成部までの長さは、前記交差部から前記第２支柱の上端までの長さより短いことを特徴とする。
【００１９】
本考案の物干し具において、前記互いに対向する第１支柱の上方端部を連結する連結部材には、ハンガー取付部材を介して前記ハンガーが取り付けられることを特徴とする。
【００２０】
本考案の物干し具において、前記ハンガー取付部材は、前記連結部材に対して、摺動による移動、及び／又は、前記摺動による移動の規制、が可能な構成としたことを特徴とする。
【００２１】
本考案の物干し具において、前記ハンガー取付部材は、前記連結部材に対して挟圧することによって、ハンガーの摺動による移動を規制することを特徴とする。
【００２２】
本考案の物干し具において、前記脚体が展開された状態において、前記ハンガーは、ハンガー本体の中心を前記連結部材よりも外方に位置させて取り付けられることを特徴とする。
【００２３】
本考案の物干し具は、前記脚体が展開された状態において、前記第１支柱と前記第２支柱との交差部よりも上方で互いに対向する第１支柱を連結する連結部材に、前記ハンガーが、ハンガー本体の交差部側端部を、前記交差部よりも、前記互いに対向する第１支柱を連結する連結部材側に位置させて取り付けられることを特徴とする。
【考案の効果】
【００２４】
本考案によると、第１支柱と第２支柱とが略Ｘ字状に交差して開閉可能な脚体が展開された状態において、少なくとも、互いに対向する第１支柱を連結する連結部材にハンガーが取り付けられ、このハンガー本体の中心が、取り付けた連結部材よりも外方に位置する。このため、ハンガーに掛けられた衣類は、対向配置された一対の脚体のそれぞれにおいて第１支柱と第２支柱をＸ字状に交差させる回動継手（交差部）同士を連結する連結部材に当たることがない。さらに、ハンガーを掛ける第１支柱を長くする必要がないため、バランスが良く、かつ、コンパクトな物干し具を提供することができる。
【００２５】
また、第１支柱及び第２支柱のうちの少なくとも一方の上方端部を、交差する支柱側へ曲成させたことにより、脚体の開脚角度を狭くすることなく、物干し具が占めるスペースを削減することができる。さらに、曲成された上方端部と、回動継手（交差部）同士を連結する連結部材と、の鉛直方向における距離が大きくなるため、上方端部に保持させたハンガーに掛けられた衣類が回動継手同士を連結する連結部材に当たることがない。
【００２６】
さらにまた、この構成によれば、脚体の開脚角度を狭くすることがなく、また、ハンガーを掛ける位置が物干し具の中心寄りになるため、回動継手を互いに連結する連結部材を中心軸とする回転モーメントを小さくすることができ、物干し具の安定性と省スペース化を両立することができる。
【考案を実施するための最良の形態】
【００２７】
以下、本考案にかかる実施形態について、図面を参照しつつ詳しく説明する。ここで、図１は、本考案の実施形態に係る物干し具が展開された状態（開かれた状態）を示す斜視図、図２（ａ）は、本考案の実施形態に係る物干し具が展開された状態を示す側面図、（ｂ）は、本考案の実施形態に係る物干し具が閉じられた状態を示す側面図である。本実施形態に係る物干し具１０は、図１、図２に示すように、第１支柱１１と第２支柱１２とを略Ｘ字状に交差させ、この交差部に配置した継手１３により、第１支柱１１と第２支柱１２を開閉可能に軸支させた脚体同士を、中央連結部材（連結部材）１４、第１支柱連結部材（連結部材）１５、及び第２支柱連結部材（連結部材）１６によって連結して対向配置させて構成される。
【００２８】
中央連結部材１４は、一対の継手（交差部）１３同士を連結する。この継手１３は、第１支柱１１及び第２支柱１２を相対回動可能として開閉可能に保持する。第１支柱連結部材１５は、第１支柱１１の上方端部１１Ａ同士をそれぞれ連結し、第２支柱連結部材１６は、第１支柱１１の上端１２Ｂ同士を連結する。また、中央連結部材１４には、その中心軸の周りを回動できるように棚部Ｓが配置されている。
【００２９】
第１支柱１１には、物干し具１０の脚体が展開された状態（図１参照）において、曲成部１１Ｃから曲成され、上端１１Ｂまで鉛直方向に沿うように延びる上方端部１１Ａが設けられている。この上方端部１１Ａは、曲成する前の状態と比べて、第１支柱１１から第２支柱１２へ向かう方向に曲成されていれば、鉛直方向に沿っていなくても良い。また、第２支柱１２の上端１２Ｂ側に上方端部１１Ａと同様の上方端部を形成すると、第１支柱１１及び第２支柱１２の両方にハンガー２０を掛けることができる。
【００３０】
第１支柱連結部材１５は、第１支柱１１と第２支柱１２との交差部１３よりも上方において第１支柱１１同士を連結する連結部材である。具体的には、第１支柱連結部材１５は、水平方向に沿って延び、かつ、互いに平行に配置された連結パイプ１５Ａ及び連結パイプ１５Ｂからなる。連結パイプ１５Ａは上端１１Ｂ同士を連結し、連結パイプ１５Ｂは曲成部１１Ｃ同士を連結し、よって、上方端部１１Ａ同士が第１支柱連結部材１５により連結される。この第１支柱連結部材１５には、ハンガー取付部材としての複数個のハンガー取付治具１７が配設され、各ハンガー取付治具１７に一対のハンガー２０が取り付け可能となっている。なお、中央連結部材１４、連結パイプ１５Ａ、連結パイプ１５Ｂ、第２支柱連結部材１６としては、中実の棒状部材や中空のパイプを用いることができ、互いの連結方法としては、金属材料で構成した場合には溶着させたり、金属パイプで構成した場合には、例えば樹脂製の接続具（符号なし）をもって互いに連結しても良く、また接地部分には滑り止めの効果を有する例えばゴム製のキャップ（符号なし）を取り付けても良い。また、上方端部１１Ａは、ハンガー２０の仕様によって定まる端部３３の長さ、及び、端部３３の長さに対応して定まるハンガー取付治具１７の高さに応じた長さ（例えば、３〜１０ｃｍ）とすることが好ましい。また、ハンガー２０は、ハンガー取付治具１７を介さずに第１支柱連結部材１５に直接取り付けても良い。第１支柱連結部材１５への取り付けは、例えば、第１支柱連結部材１５及びハンガー２０を金属材料で構成して溶着したり、第１支柱連結部材１５及びハンガー２０を樹脂で構成して一体成形することができる。
【００３１】
また、第１支柱連結部材１５に配置したハンガー取付治具１７にハンガー２０を取り付けたときの物干し具１０全体のバランスを考慮すると、第１支柱１１と第２支柱１２との交差部（継手）１３から第１支柱１１の上端１１Ｂまでの長さは、交差部から第２支柱１２の上端１２Ｂまでの長さより短いことが好ましい。また、同様の理由により、第１支柱１１と第２支柱１２との交差部１３から第１支柱１１の上方端部１１Ａの曲成部１１Ｃまでの長さは、交差部１３から第２支柱１２の上端１２Ｂまでの長さより短いことが好ましい。
【００３２】
連結パイプ１５Ａ及び連結パイプ１５Ｂに配設されるハンガー取付治具１７は、図３に示すように、基部１８の両側に膨出部１９が一体成形され、この膨出部１９に取付穴２１が形成されている。ここで、図３は、ハンガー取付治具１７の構成を示す斜視図である。また、基部１８の上部に形成された貫通穴２２に連結パイプ１５Ａ（図１）が挿通され、基部１８の下部に形成された嵌合溝２３に連結パイプ１５Ｂが嵌合されることで、ハンガー取付治具１７は、これらの連結パイプ１５Ａ及び連結パイプ１５Ｂにスライド可能に配設される。したがって、ハンガー取付治具１７及びハンガー取付治具１７に取り付けられるハンガー２０は、連結パイプ１５Ａ及び連結パイプ１５Ｂに対して、摺動による移動、及び／又は、摺動による移動の規制、が可能な状態となる。基部１８の頂部に枢支された係止片２４を貫通穴２２側に回動させることで、この貫通穴２２に挿通された連結パイプ１５Ａに係止片２４が当接して連結パイプ１５Ａに対して狭圧することにより、ハンガー取付治具１７はスライド（摺動による移動）が規制され、任意の位置に固定される。
【００３３】
次に、ハンガー取付治具１７に保持されるハンガー２０について、図４を参照して説明する。図４は、本実施形態に係るハンガー２０の構成を示し、（Ａ）がその正面図、（Ｂ）が平面図、（Ｃ）が底面図である。図４に示すように、ハンガー２０は、ハンガー本体２５と、ハンガー本体２５を支持する支持部材２６とを有し、１本の棒材または線材を折曲加工することにより一体的に構成される。ハンガー本体２５は、互いに反対方向に延びる一対の掛止部２７、２８を備え、これらの掛止部２７、２８に、図５（Ｂ）に示すように、Ｔシャツ等の衣服２９の両方の肩部３０がそれぞれ掛け止められる。ここで、図５は、ハンガー２０にＴシャツ、下着、ワイシャツなどの衣類２９を掛ける手順を示す概念図であって、（Ａ）は衣類２９をハンガー２０に掛けている状態を示し、（Ｂ）は掛け終わった状態を示す図である。
【００３４】
図４に示すように、支持部材２６は、棒材または線材の端部側にて形成され、一端側部分２６Ａに他端側部分２６Ｂの端部が溶着されて補強される。この一端側部分２６Ａの端部が支持部材２６の端部３３として構成される。また、支持部材２６は、ハンガー本体２５の一方の掛止部２７側に接近して配置され、この掛止部２７との間に隙間３４が形成される。例えば、端部３３に連続する支持部材２６の一端側部分２６Ａが、ハンガー本体２５における後述の連結部３６に平行となる位置まで、支持部材２６はハンガー本体２５の掛止部２７に接近して配置される。支持部材２６は、図４において一点鎖線で示すハンガー本体２５の中心線Ｙに対して、略直交する状態で配される。ここで、ハンガー本体２５の中心線Ｙとは、連結部３６が延びる方向におけるハンガー本体２５の中点（中心）を通る線であって、連結部３６を水平方向に配置したときに鉛直方向に沿う直線である。
【００３５】
支持部材２６は、上記端部３３がハンガー取付治具１７の取付穴２１（図３）に挿入されて、このハンガー取付治具１７に対し水平方向に回動可能に取り付けられる。従って、ハンガー２０の使用時には、図１に示すように、支持部材２６をハンガー取付治具１７の基部１８の面に対し直立する位置まで回動させ、ハンガー２０の非使用時には、図２に示すように、支持部材２６をハンガー取付治具１７の基部１８の面と略平行となる位置まで回動させることが可能となる。
【００３６】
したがって、物干し具１０が展開され、ハンガー２０を使用する状態では、図２に示すように、ハンガー２０は、ハンガー取付治具１７を始点として、第２支柱１２から離れる方向に延びる。このため、ハンガー２０のハンガー本体２５の中心線Ｙは、連結パイプ１５Ａ、１５Ｂよりも外方に位置する。よって、ハンガー２０のハンガー本体２５は、中央連結部材１４に対して、第２支柱１２から離れる方向にシフトした位置に配置されることとなり、ハンガー２０に掛けた衣類２９が中央連結部材１４に当たることを防ぐことができる。このように、ハンガー本体２５の中心を、取り付けた第１支柱連結部材１５よりも外方に位置することにより、ハンガー２０を掛ける第１支柱１１を長くする必要がなくなったため、物干し具１０をバランスが良く、かつ、コンパクトな物干し具とすることができる。
【００３７】
また、第１支柱１１の上方端部１１Ａを、交差する第２支柱１２側へ曲成させることにより、脚体の開脚角度α（図２）を狭くすることなく、物干し具１０が占めるスペースを削減することができる。さらに、曲成された上方端部１１Ａと、継手１３同士を連結する中央連結部材１４と、の鉛直方向における距離が大きくなるため、上方端部１１Ａに保持させたハンガー２０に掛けられた衣類２９が中央連結部材１４に当たることがない。
【００３８】
さらにまた、この構成によれば、脚体の開脚角度を狭くすることがなく、また、ハンガー２０を掛ける位置が物干し具の中心（継手１３及び中央連結部材１４）寄りになるため、継手１３を互いに連結する中央連結部材１４を中心軸とする回転モーメントを小さくすることができ、物干し具１０の安定性と省スペース化を両立することができる。
【００３９】
ハンガー本体２５は、掛止部２７及び２８を連結する直線形状の連結部３６を備え、この連結部３６にズボンまたはタオル等が掛け止め可能とされる。また、ハンガー本体２５の他方の掛止部２８における下端部３８から支持部材２６までの高さＨ１は、図５に示す衣類２９の首部３１の直径よりも小さく設定される。
【００４０】
更に、ハンガー本体２５の一方の掛止部２７における下端部３７から支持部材２６までの高さＨ２も、衣類２９における首部３１の直径よりも小さく設定される。この高さＨ２は、図４（Ａ）の２点鎖線に示すように、支持部材２６の一端側部分２６Ａがハンガー本体２５の連結部３６と平行になる位置まで接近（ハンガー本体２５の中心線Ｙに対して支持部材２６が略直交）していない場合にも、同様に、衣類２９における首部３１の直径よりも小さく設定される。
【００４１】
従って、衣類２９をハンガー２０に掛ける場合、高さＨ１が上述のように設定されたことで、図５（Ａ）に示すように、衣類２９の首部３１をハンガー本体２５の他方の掛止部２８に挿入することが可能となる。また、高さＨ２が上述のように設定されたことで、衣類２９の首部３１をハンガー本体２５の一方の掛止部２７の端部まで、引き続き矢印Ａ方向に移動させることが可能となる。次に、衣類２９の首部３１の一部３１Ａをハンガー本体２５の隙間３４内で上記矢印Ａと反対方向（矢印Ｂ）へ移動させることにより、図５（Ｂ）に示すように、衣類２９の肩部３０がハンガー本体２５の掛止部２７及び２８に掛け止められて、衣類２９がハンガー２０に掛けられる。衣類２９をハンガー２０から取り外すには、上述と逆の動作を実施する。
【００４２】
また、ハンガー本体２５の他方の掛止部２８は、図４（Ａ）の破線に示すような段差３５を備えず、支持部材２６に段差なく連続して形成される。これにより、濡れた衣類２９の首部３１にハンガー本体２５の他方の掛止部２８を挿入する場合、衣類２９の首部３１が段差３５に引っ掛かることが回避される。
【００４３】
本考案について上記実施形態を参照しつつ説明したが、本考案は上記実施形態に限定されるものではなく、改良の目的または本考案の思想の範囲内において改良または変更が可能である。
【図面の簡単な説明】
【００４４】
【図１】本考案の実施形態に係る物干し具が展開された状態を示す斜視図である。
【図２】（ａ）は、本考案の実施形態に係る物干し具が展開された状態を示す側面図、（ｂ）は、本考案の実施形態に係る物干し具が閉じられた状態を示す側面図である。
【図３】本考案の実施形態に係るハンガー取付治具の構成を示す斜視図である。
【図４】本考案の実施形態に係るハンガーの構成を示し、（Ａ）がその正面図、（Ｂ）が平面図、（Ｃ）が底面図である。
【図５】本考案の実施形態に係るハンガーに衣類をかける手順を示す概念図であって、（Ａ）は衣類をハンガーに掛けている状態を示し、（Ｂ）は掛け終わった状態を示す図である。
【符号の説明】
【００４５】
１０    物干し具
１１    第１支柱
１１Ａ  上方端部
１１Ｂ  上端
１１Ｃ  曲成部
１２    第２支柱
１２Ｂ  上端
１３    継手（交差部）
１４    中央連結部材（連結部材）
１５    第１支柱連結部材（連結部材）
１６    第２支柱連結部材（連結部材）
１７    ハンガー取付治具（ハンガー取付部材）
２０    ハンガー
２１    取付穴
２５    ハンガー本体
２６    支持部材
２９    衣類
Ｈ１    高さ
Ｈ２    高さ
Ｙ      中心線
【図１】
0003128173.tif 000003
【図２】
0003128173.tif 000004
【図３】
0003128173.tif 000005
【図４】
0003128173.tif 000006
【図５】
0003128173.tif 000007